(57)【特許請求の範囲】
【請求項１】
データ復元装置において、
伝送信号をベースバンドの信号に復調する復調器と、
前記復調信号の信号パターンに応じて対応する同期ロック信号により選択的に活性化される複数のシンボル同期信号を各々発生する複数のシンボル復元器と、
前記選択されたシンボル同期信号を基準に復元データを出力するデータ判定器と、
前記選択されたシンボル同期信号を前記対応する同期ロック信号に応答して前記データ判定器に供給するロックスイッチとを含むことを特徴とするデータ復元装置。
【請求項２】
前記復調器の出力信号を電圧レベルが限定された信号に設定するレベル制御器をさらに備えることを特徴とする請求項１に記載のデータ復元装置。
【請求項３】
前記データ判定器は前記選択されたシンボル同期信号を基準に所定の周波数によりサンプリング動作を遂行することを特徴とする請求項２に記載のデータ復元装置。
【請求項４】
前記伝送信号は基地局から移動局へ伝送された信号であることを特徴とする請求項１に記載のデータ復元装置。
【請求項５】
基地局から移動局へ伝送された送信信号を復元するためのデータ復元装置において、
前記送信信号をベースバンドの信号に復調する復調器と、
この復調器の出力信号を電圧レベルが限定された信号に設定するレベル制御器と、
このレベル制御器出力の前記復調信号の信号パターンに応じて対応する同期ロック信号により選択的に活性化される複数のシンボル同期信号を各々発生する複数のシンボル復元器と、
前記選択されたシンボル同期信号を基準に復元データを出力するデータ判定器と、
前記選択されたシンボル同期信号を前記対応する同期ロック信号に応答して前記データ判定器に供給するロックスイッチとを含むことを特徴とするデータ復元装置。
【請求項６】
前記データ判定器は前記選択されたシンボル同期信号を基準に所定の周波数によりサンプリング動作を遂行することを特徴とする請求項５に記載のデータ復元装置。
【発明の詳細な説明】
【０００１】
【発明の属する技術分野】
本発明はデータ復元装置に係るものであり、特に伝送信号に対して正確で迅速なタイミング追跡をすることにより、正確にデータを復元できる装置に関するものである。
【０００２】
【従来の技術】
ＡＭＰＳ（ａｄｖａｎｃｅｄ  ｍｏｂｉｌｅ  ｐｈｏｎｅ  ｓｙｓｔｅｍ）の場合、通話路の設定と維持は、基地局からの命令と端末機からの応答からなるが、このような命令と応答はマンチェスタ方式でエンコーディングされたデジタルデータストリームを利用する。
【０００３】
図１はＡＭＰＳの順方向制御チャンネル（Ｆｏｒｗａｒｄ  Ｃｏｎｔｒｏｌ  Ｃｈａｎｎｅｌ）で使用されるデータストリームの非ゼロ復帰（Ｎｏｎ−Ｒｅｔｕｒｅｎ  ｔｏ  Ｚｅｒｏ：以下“ＮＲＺ”と言う）データフォーマットを示した図面であり、図２は図１に示されたデータストリームが送受信装置で理想的に処理される過程を説明する信号波形図である。図１に示されたように、順方向制御チャンネルは１０ビットのドッティング（Ｄｏｔｔｉｎｇ）と、１１ビットのワード同期（Ｗｏｒｄ  Ｓｙｎｃ）と、Ａ／Ｂシステムのための４０ビットのデータ列（Ｄａｔｅ  Ｓｔｒｅａｍ）が各々５回ずつ繰返され、ビジー／アイドル（ｂｕｓｙ／ｉｄｌｅ）ビットが１０ビット毎含まれている。先ず図２に示されたように、基地局はオリジナルデータを１０ＫＨｚのビットクロックを利用してＮＲＺデータに変換する。再びこのＮＲＺデータは２０ＫＨｚのマンチェスタエンコーディングデータに変わり、適当な搬送波に変調されて基地局から移動局へ送信される。移動局は送信された伝送信号を復調して、復調結果である復調器出力に対してタイミング復元及びシンボル復元を遂行することにより、オリジナルデータ（元来のＮＲＺデータ）、即ち送信データを復元することになる。タイミング復元及びシンボル復元過程で復調器出力は４０ＫＨｚにサンプリングされる。
【０００４】
【発明が解決しようとする課題】
しかし、基地局からの送信データは自由空間（大気）を通じて移動局へ送信される過程で、通常のフェージング（ｆａｄｉｎｇ）現状により図３に示されたように、位相が変移（例えば、レフトシフト）される。一般的に、データ復元は、図４及び図６に示されたように、４０ＫＨｚのサンプリング周波数に該当するレベルポイントａ、ｂ、ｃ及びｄの算術的な合算の結果がプラスになると（即ち、（ａ＋ｂ）−（ｃ＋ｄ）＞＞０）、ＮＲＺデータの対応するビットは“０”に復元し、その合算の結果がマイナスになると（即ち、（ａ＋ｂ）−（ｃ＋ｄ）＜＜０）、ＮＲＺデータの対応するビットは“１”に復元する。しかし、図５及び図７に示されたように、位相変移により一つのシンボル同期信号（Ｓｙｎｅ）の周期によったサンプリングタイミングが外れることになれば、レベルポイントａ〜ｄの合算結果が実際の値とは違った値に判定されてデータ復元の誤りを犯すことになる。即ち、図５の場合においては（ａ′＋ｂ′）−（ｃ′＋ｄ′）＜＜０の結果が該当するビットを“１”に判定するようにする誤りを犯し（図４のように“０”と判定されなければならない）、図７の場合には（ａ′＋ｂ）−（ｃ′＋ｄ′）＞＞０の結果が該当するビットを“０”に判定するようにする誤りを犯すことになる（図６のように“１”に判定されなければならない）。このような誤りは一つのシンボル同期信号（Ｓｙｎｃ）のクロック周期を基準に無条件サンプリング動作を遂行することで発生するのであり、このような同期サイクルを基準とする限り位相変移が発生した時刻Ｔｐｓ以後からは信頼性あるデータ復元が不可能となる。
【０００５】
順方向制御チャンネルのデータ送受信において、シンボル復元又はデータ復元の効率的な制御がデータ処理の性能を決定し、データ復元の方法がシステムのエラービット率（ｂｉｔ  ｅｒｒｏｒ  ｒａｔｅ：ＢＥＲ）に影響を及ぼす。ところで、シンボル復元の同期タイミングは自由空間を通じた無線送受信環境によるフェージング（ｆａｄｉｎｇ）により変移され、又基地局の状況により変わる。このように変化するシンボル復元同期タイミングを正確に早く追跡することがアイドル状態（ｉｄｌｅ  ｓｔａｔｅ）でＡＭＰＳの性能を向上させる重要な要因になる。
【０００６】
本発明は、シンボル復元同期タイミングの追跡をより効率的に遂行できるデータ復元装置を提供することを目的とする。
【０００７】
【課題を解決するための手段】
本発明は伝送信号からデータを復元する装置に関するものであり、前記伝送信号をベースバンドの信号に復調する復調器と、前記復調信号の信号パターンに応じて対応する同期ロック信号により選択的に活性化される複数のシンボル同期信号を各々発生する複数のシンボル復元器と、前記選択されたシンボル同期信号を基準に復元データを出力するデータ判定器とを含むことを特徴とする。本発明によると、伝送信号に対して正確で迅速なタイミング追跡をすることにより、信頼性あるデータ復元をできる効果がある。従って、より安定した通信システムを具現できる。
【０００８】
本発明のデータ復元装置には、前記復調器の出力信号を電圧レベルが限定された信号に設定するレベル制御器をさらに含むことができる。前記データ判定器は前記選択されたシンボル同期信号を基準に所定の周波数に応じてサンプリング動作を遂行する。
【０００９】
又本発明によるデータ復元装置は、基地局から移動局へ伝送された送信信号を復元するためのものとして、前記送信信号をベースバンドの信号に復調する復調器と、この復調器の出力信号を電圧レベルが限定された信号に設定するレベル制御器と、このレベル制御器出力の前記復調信号の信号パターンに応じて対応する同期ロック信号により選択的に活性化される複数のシンボル同期信号を各々発生する複数のシンボル復元器と、前記選択されたシンボル同期信号を基準に復元データを出力するデータ判定器と、前記選択されたシンボル同期信号を前記対応する同期ロック信号に応答して前記データ判定器に供給するロックスイッチとを含む。
【００１０】
【発明の実施の形態】
以下、添付した図を参照して、本発明の実施形態を詳細に説明する。
【００１１】
図８は本発明によるデータ復元装置の構成図である。本発明によるデータ復元装置は移動局に内蔵され、復調器１０１、レベル制御器１０３、シンボル復元器１０５及び１０７、ロックスイッチ１０９、及びデータ判定器１１１で構成される。
【００１２】
復調器１０１は基地局から伝送された無線周波数信号をベースバンドの信号に復調する。伝送信号は図２に示されたように、オリジナルデータがマンチェスタ方式でデジタルエンコーディングされて変調されたものである。レベル制御器１０３は、復調器１０１の出力信号を所定信号レベル以内に限定する。又レベル制御器１０３は、雑音成分による誤りを減らすため、復調信号の一定の中間レベルが以後のサンプリング領域で排除されるようにする。復調信号の信号パターンに応じて対応する同期ロック信号により選択的に活性化される複数のシンボル同期信号を各々発生するシンボル復元器１０５及び１０７はレベル制御器１０３の出力信号の信号パターンを感知してシンボル同期信号Ｓ１及びＳ２を各々発生する。シンボル同期信号Ｓ１およびＳ２は復調信号の信号パターンに応じて対応する同期ロック信号ＳＬ１およびＳＬ２に各々応答してロックスイッチ１０９を通じて選択的にデータ判定器１１１に供給される。即ち、同期ロック信号ＳＬ１が活性化されればシンボル同期信号Ｓ１がスイッチ１０９を通じてデータ判定器１１１に印加され、同期ロック信号ＳＬ２が活性化されればシンボル同期信号Ｓ２がスイッチ１０９を通じてデータ判定器１１１に印加される。データ判定器１１１は図４及び図６に示された方法のように、オリジナルデータから復元されたＮＲＺデータを出力する。
【００１３】
以下図９を参照して、本発明によるデータ復元装置で送信データを元来のＮＲＺデータに復元する過程を説明する。
【００１４】
前から言及したように、基地局からの元来のＮＲＺデータはマンチェスタ方式でエンコーディングされた後、無線周波数に乗せられて自由空間を通じ移動局へ伝送される。そうすると、移動局では受信された信号を復調器１０１で復調して、ベースバンドの復調信号を出力する。その復調信号に対するレベル設定動作はレベル制御器１０３により行われる。
【００１５】
その後、シンボル復元器の一方、例えばシンボル復元器１０５が復調信号の信号パターンを感知してシンボル同期信号Ｓ１を発生し、その結果、データ判定器１１１で、シンボル同期信号Ｓ１の周期により４０ＫＨｚの間隔で復調器出力のサンプリングが行われ、さらにデータ値判定が行われる。この際、同期ロック信号ＳＬ１は該当するシンボル同期信号Ｓ１がデータ判定器１１１に印加されるようにロックスイッチ１０９を制御する。また、サンプリングによるデータ値判定（“０”又は“１”）は、図４及び図６に示された方式のように、シンボル同期信号Ｓ１の一周期単位でレベルポイントａ〜ｄの合算値により決定される。
【００１６】
シンボル同期信号Ｓ１のサイクル周期によるサンプリング及びデータ判定が進行している中で、前述したように、時刻Ｔｐｓでフェージング等による位相変移が発生すれば、この位相変移を検出して同期ロック信号ＳＬ１の代わりに同期ロック信号ＳＬ２が活性化されてデータ判定に使用されるシンボル同期信号はシンボル同期信号Ｓ１からシンボル同期信号Ｓ２に変わる。これにより、位相変移（例えば、レフトシフト）による同期不一致によってデータ判定値の誤りが校正される。実際的に、フェージングによる位相変移は図９に示されたように瞬間的に発生せず一定時間をおいて漸進的に行われる。従って、シンボル同期信号Ｓ１によるタイミング追跡及び同期サンプリングによるデータ復元が終了して、シンボル同期信号Ｓ２によるタイミング追跡及び同期サンプリングによるデータ復元が始まるまでの間には多少の時間が存在し、前後の値が連動してデータ判定及び復元に反映されることに理解しなければならない。シンボル同期信号Ｓ１とＳ２の間の切替えは前述したように位相変移がある時ごとに行われる。
【００１７】
なお、本実施形態によるデータ復元装置は復調器を含んでいるが、応用（ａｐｐｌｉｃａｔｉｏｎ）によって復調器を含まずに構成することもできる。又、より正確なサンプリング及びデータ復元のためにサンプリング周期を他の周波数にするとかシンボル同期信号の数をさらに増やすことが可能である。したがって、本実施形態は一例を説明するだけのものであり、本発明の権利範囲を限定するものではない。よって、本発明の技術思想の範囲内で多様な変形とか変更が可能であることは勿論である。
【００１８】
【発明の効果】
以上のように、本発明によると、送信された信号に対して正確で迅速なタイミング追跡をすることにより、正確なデータ復元をできる効果がある。従って、より安定した通信システムを具現できる。
【図面の簡単な説明】
【図１】ＡＭＰＳの順方向制御チャンネルの非ゼロ復帰（Ｎｏｎ−Ｒｅｔｕｒｎ  ｔｏＺｅｒｏ）データのフォーマットを示した図。
【図２】非ゼロ復帰データの送受信装置での処理を説明する信号波形図。
【図３】位相変移による間違った復元結果を説明するための図。
【図４】位相変移による間違った復元結果を説明するための図。
【図５】位相変移による間違った復元結果を説明するための図。
【図６】位相変移による間違った復元結果を説明するための図。
【図７】位相変移による間違った復元結果を説明するための図。
【図８】本発明によるデータ復元装置の構成図。
【図９】データ復元装置によるデータ復元過程を説明する信号波形図。
【符号の説明】
１０１  復調器
１０３  レベル制御器
１０５，１０７  シンボル復元器
１０９  ロックスイッチ
１１１  データ判定器
【図１】
0004485736.tif 000002
【図２】
0004485736.tif 000003
【図３】
0004485736.tif 000004
【図４】
0004485736.tif 000005
【図５】
0004485736.tif 000006
【図６】
0004485736.tif 000007
【図７】
0004485736.tif 000008
【図８】
0004485736.tif 000009
【図９】
0004485736.tif 000010